(57)【特許請求の範囲】
【請求項１】
電話以外の通信機能を備えた複数の電話端末を有する電話システムであって、
プレゼンス通知側の前記電話端末である第一の電話端末は、
前記通信機能により周辺端末用のプレゼンス調査要求を受信した場合に、自電話端末および予め定められた少なくとも一台の他の電話端末の位置情報を取得する端末位置情報取得手段と、
前記端末位置情報取得手段により取得された位置情報に基づいて、前記予め定められた少なくとも一台の他の電話端末のなかから、自電話端末の近傍に位置する電話端末である周辺端末を探索する周辺端末探索手段と、
前記周辺探索手段により探索された前記周辺端末の、前記端末位置情報手段により取得された位置情報を含むプレゼンス情報を、前記通信機能により前記周辺端末用のプレゼンス調査要求の送信元に送信するプレゼンス情報送信手段と、を有し、
プレゼンス取得側の前記電話端末である第二の電話端末は、
ユーザの指示に従い、前記通信機能により前記第一の電話端末に前記周辺端末用のプレゼンス調査要求を送信して、前記第一の電話端末から前記周辺端末のプレゼンス情報を受信するプレゼンス情報受信手段と、
前記プレゼンス情報受信手段により受信した前記周辺端末のプレゼンス情報を表示するプレゼンス表示手段と、を有する
ことを特徴とする電話システム。
【請求項２】
請求項１に記載の電話システムであって、
前記端末位置情報取得手段は、
前記通信機能により自電話端末用のプレゼンス調査要求を受信した場合に、自電話端末の位置情報を取得し、
前記プレゼンス情報送信手段は、
前記端末位置情報取得手段により取得された自電話端末の位置情報を含むプレゼンス情報を、前記通信機能により前記自電話端末用のプレゼンス調査要求の送信元に送信し、
前記プレゼンス情報受信手段は、
ユーザの指示に従い、前記通信機能により前記第一の電話端末に当該電話端末用のプレゼンス調査要求を送信して、前記第一の電話端末から当該電話端末のプレゼンス情報を受信し、
前記プレゼンス表示手段は、
前記プレゼンス情報受信手段により受信した前記第一の電話端末のプレゼンス情報を、当該プレゼンス情報に含まれている位置情報が示す地点を含む地図データとともに表示する
ことを特徴とする電話システム。
【請求項３】
請求項１または２に記載の電話システムに用いられる第一の電話端末として機能することを特徴とする電話端末。
【請求項４】
請求項１または２に記載の電話システムに用いられる第二の電話端末として機能することを特徴とする電話端末。
【請求項５】
電話以外の通信機能を備えた電話端末であって、
通話中にコールウェイティング通知を受信した場合に、当該コールウェイティング通知にユーザが応答したならば、当該コールウェイティング通知の送信元の情報を取得し、当該コールウェイティング通知にユーザが所定時間内に応答しなかったならば、前記通話中の通話相手の情報を取得する端末情報取得手段と、
前記通信機能により、前記端末情報取得手段により取得した情報をプレゼンス情報として、前記コールウェイティング通知にユーザが応答したならば前記通話相手に送信し、前記コールウェイティング通知にユーザが所定時間内に応答しなかったならば当該コールウェイティング通知の送信元に送信するプレゼンス情報送信手段と、を有する
ことを特徴とする電話端末。
【請求項６】
電話端末のプレゼンス情報の通知方法であって、
第一の電話端末は、第二の電話端末から周辺端末用のプレゼンス調査要求を受信した場合に、自電話端末および予め定められた少なくとも一台の他の電話端末の位置情報を取得し、取得した位置情報に基づいて、前記予め定められた少なくとも一台の他の電話端末のなかから、自電話端末の近傍に位置する電話端末である周辺端末を探索し、探索した前記周辺端末の位置情報を含むプレゼンス情報を前記第二の電話端末に送信し、
前記第二の電話端末は、ユーザの指示に従い、前記第一の電話端末に前記周辺端末用のプレゼンス調査要求を送信して、当該第一の電話端末から前記周辺端末のプレゼンス情報を取得し表示する
ことを特徴とするプレゼンス情報の通知方法。
【請求項７】
電話端末のプレゼンス情報の通知方法であって、
通話中にコールウェイティング通知を受信した場合に、当該コールウェイティング通知にユーザが応答したならば、当該コールウェイティング通知の送信元の情報を取得し、取得した情報を含むプレゼンス情報を通話相手に送信し、当該コールウェイティング通知にユーザが所定時間内に応答しなかったならば、前記通話中の通話相手の情報を取得し、取得した情報を含むプレゼンス情報を当該コールウェイティング通知の送信元に送信する
ことを特徴とするプレゼンス情報の通知方法。
【発明の詳細な説明】
【技術分野】
【０００１】
本発明は、電話システムに関し、特に、電話端末のプレゼンス情報の通知技術に関する。
【背景技術】
【０００２】
特許文献１には、Ｗｅｂサーバを利用して、Ｗｅｂ画面上にプレゼンス情報を表示可能な通信システムが開示されている。この通信システムにおいて、ＳＩＰサーバは、Ｗｅｂサーバ機能およびプレゼンスサーバ機能を有しており、配下の端末各々の識別情報が記述されたＷｅｂ画面を公開する。そして、Ｗｅｂブラウザ機能を有する端末により、このＷｅｂ画面を介していずれかの識別情報が選択されたならば、この端末が選択した識別情報により特定される端末のプレゼンス情報が記述されたＷｅｂ画面をこの端末に表示する。
【先行技術文献】
【特許文献】
【０００３】
【特許文献１】特開２００８−５９１４２号公報
【発明の概要】
【発明が解決しようとする課題】
【０００４】
しかしながら、特許文献１に記載の通信システムには、Ｗｅｂサーバ機能およびプレゼンスサーバ機能を有する専用のＳＩＰサーバを設置しなければならない。また、セッション状態から把握できるプレゼンス情報（例えば通話状態）以外のプレゼンス情報（例えばマナーモード、着信転送等の設定状態）については、最新のプレゼンス情報がＳＩＰサーバに反映されるまでにタイムラグがある。このため、例えば、発信に際してＳＩＰサーバから取得した発信先端末のプレゼンス情報が通話可能を示しているにもかかわらず、実際に発信すると、発信先端末が話中であるような事態が起こり得る。
【０００５】
本発明は上記事情に鑑みてなされたものであり、本発明の目的は、専用のサーバを必要とすることなく、電話端末の最新のプレゼンス情報を取得可能とする技術を提供することにある。
【課題を解決するための手段】
【０００６】
上記課題を解決するために、本発明の第一の態様において、第一の電話端末は、第二の電話端末から周辺端末用のプレゼンス調査要求を受信した場合に、自電話端末および予め定められた少なくとも一台の他の電話端末の位置情報を取得し、取得した位置情報に基づいて、予め定められた少なくとも一台の他の電話端末のなかから、自電話端末の近傍に位置する電話端末である周辺端末を探索し、探索した周辺端末の位置情報を含むプレゼンス情報を第二の電話端末に送信する。第二の電話端末は、ユーザの指示に従い、第一の電話端末に周辺端末用のプレゼンス調査要求を送信して、第一の電話端末から周辺端末のプレゼンス情報を取得し表示する。
【０００７】
例えば、本発明の第一の態様は、電話以外の通信機能を備えた複数の電話端末を有する電話システムであって、
プレゼンス通知側の前記電話端末である第一の電話端末は、
前記通信機能により周辺端末用のプレゼンス調査要求を受信した場合に、自電話端末および予め定められた少なくとも一台の他の電話端末の位置情報を取得する端末位置情報取得手段と、
前記端末位置情報取得手段により取得された位置情報に基づいて、前記予め定められた少なくとも一台の他の電話端末のなかから、自電話端末の近傍に位置する電話端末である周辺端末を探索する周辺端末探索手段と、
前記周辺探索手段により探索された前記周辺端末の、前記端末位置情報手段により取得された位置情報を含むプレゼンス情報を、前記通信機能により前記周辺端末用のプレゼンス調査要求の送信元に送信するプレゼンス情報送信手段と、を有し、
プレゼンス取得側の前記電話端末である第二の電話端末は、
ユーザの指示に従い、前記通信機能により前記第一の電話端末に前記周辺端末用のプレゼンス調査要求を送信して、前記第一の電話端末から前記周辺端末のプレゼンス情報を受信するプレゼンス情報受信手段と、
前記プレゼンス情報受信手段により受信した前記周辺端末のプレゼンス情報を表示するプレゼンス表示手段と、を有する。
【０００８】
ここで、前記端末位置情報取得手段は、前記通信機能により自電話端末用のプレゼンス調査要求を受信した場合に、自電話端末の位置情報を取得し、
前記プレゼンス情報送信手段は、前記端末位置情報取得手段により取得された自電話端末の位置情報を含むプレゼンス情報を、前記通信機能により前記自電話端末用のプレゼンス調査要求の送信元に送信し、
前記プレゼンス情報受信手段は、ユーザの指示に従い、前記通信機能により前記第一の電話端末に当該電話端末用のプレゼンス調査要求を送信して、前記第一の電話端末から当該電話端末のプレゼンス情報を受信し、
前記プレゼンス表示手段は、前記プレゼンス情報受信手段により受信した前記第一の電話端末のプレゼンス情報を、当該プレゼンス情報に含まれている位置情報が示す地点を含む地図データとともに表示するものでもよい。
【０００９】
また、本発明の第二の態様において、電話端末は、通話中にコールウェイティング通知を受信した場合に、このコールウェイティング通知に対してユーザが応答したならば、コールウェイティング通知元の情報を取得し、取得した情報をプレゼンス情報として通話相手（保留中の通話相手）に送信する。一方、このコールウェイティング通知に対してユーザが所定時間内に応答しなかったならば、通話相手（通話中の通話相手）の情報を取得し、取得した情報をプレゼンス情報としてコールウェイティング通知元に送信する。
【００１０】
例えば、本発明の第二の態様は、電話以外の通信機能を備えた電話端末であって、
通話中にコールウェイティング通知を受信した場合に、当該コールウェイティング通知にユーザが応答したならば、当該コールウェイティング通知の送信元の情報を取得し、当該コールウェイティング通知にユーザが所定時間内に応答しなかったならば、前記通話中の通話相手の情報を取得する端末情報取得手段と、
前記通信機能により、前記端末情報取得手段により取得した情報をプレゼンス情報として、前記コールウェイティング通知にユーザが応答したならば前記通話相手に送信し、前記コールウェイティング通知にユーザが所定時間内に応答しなかったならば当該コールウェイティング通知の送信元に送信するプレゼンス情報送信手段と、を有する。
【発明の効果】
【００１１】
本発明によれば、専用のサーバを必要とすることなく、電話端末の最新のプレゼンス情報を取得可能な技術を提供することができる。
【図面の簡単な説明】
【００１２】
【図１】図１は、本発明の第一実施の形態に係る電話システムの概略構成図である。
【図２】図２（Ａ）および図２（Ｂ）は、本発明の第一実施の形態に係る電話システムにおいて、携帯端末２が自身の端末状態をプレゼンス情報として電話端末１に送信する場合の動作例を説明するためのシーケンス図である。
【図３】図３（Ａ）は、本発明の第一実施の形態に係る電話システムにおいて、複数の携帯端末２が自身の端末状態をプレゼンス情報として電話端末１に送信する場合の動作例を説明するためのシーケンス図であり、図３（Ｂ）は、本発明の第一実施の形態に係る電話システムにおいて、携帯端末２が、自身の周辺に位置する他の携帯端末２の端末情報をプレゼンス情報として電話端末１に送信する場合の動作例を説明するためのシーケンス図である。
【図４】図４は、本発明の第一実施の形態に係る電話システムを構成する電話端末１の概略機能構成図である。
【図５】図５は、携帯端末２の指定を伴う相手端末確認指示をユーザから受け付けた場合における電話端末１の動作を説明するためのフロー図である。
【図６】図６（Ａ）は、携帯端末２のグループの指定を伴う相手端末確認指示をユーザから受け付けた場合における電話端末１の動作を説明するためのフロー図であり、図６（Ｂ）は、携帯端末２の指定を伴う周辺端末確認指示をユーザから受け付けた場合における電話端末１の動作を説明するためのフロー図である。
【図７】図７は、本発明の第一実施の形態に係る電話システムを構成する携帯端末２の概略機能構成図である。
【図８】図８（Ａ）は、電話端末１から相手端末確認用プレゼンス調査要求メールを受信した場合における携帯端末２の動作を説明するためのフロー図であり、図８（Ｂ）は、電話端末１から周辺端末確認用プレゼンス調査要求メールを受信した場合における携帯端末２の動作を説明するためのフロー図である。
【図９】図９は、本発明の第二実施の形態に係る携帯端末３が、通話相手の情報をプレゼンス情報として、電話端末４Ａ、４Ｂに送信する場合の動作例を説明するためのシーケンス図である。
【図１０】図１０は、本発明の第二実施の形態に係る携帯端末３の概略機能構成図である。
【図１１】図１１は、通話中にコールウェイティング通知が着信した場合における携帯話端末３の動作を説明するためのフロー図である。
【発明を実施するための形態】
【００１３】
以下に、本発明の実施の形態について説明する。
【００１４】
＜第一実施の形態＞
図１は、本発明の第一実施の形態に係る電話システムの概略構成図である。
【００１５】
図示するように、本実施の形態の電話システムは、ＬＡＮ８１に接続された少なくとも一台の電話端末１と、無線基地局５２を介してＷＡＮ８２に接続された少なくとも一台の携帯端末２と、を有する。
【００１６】
ここで、ＬＡＮ８１は、ゲートウェイ（ＧＷ）５１を介してＷＡＮ８２に接続されている。ＷＡＮ８２には、地図配信サーバ６および位置情報共有サーバ７が接続されている。地図配信サーバ６は、ＷＡＮ８２を介して電話端末１、携帯端末２からＧＰＳ情報を受信し、このＧＰＳ情報を含む地域の地図データをＧＰＳ情報の送信元１，２に配信する。位置情報共有サーバ７は、ＷＡＮ８２を介して携帯端末２からＧＰＳ情報を定期的に受信して、各携帯端末２のＧＰＳ情報を管理するとともに、電話端末１、携帯端末２からの探索要求に従い、探索要求元１，２のユーザに対応付けられて予め登録されている携帯端末２のＧＰＳ情報を探索要求元１，２に送信する。なお、地図配信サーバ６、位置情報共有サーバ７には、既存のアプリケーションサービスプロバイダ（例えば、Ｇｏｏｇｌｅ社の「Ｇｏｏｇｌｅ  マップ」、「Ｇｏｏｇｌｅ  Ｌａｔｉｔｕｄｅ」  ：  Ｇｏｏｇｌｅは登録商標）を利用できる。
【００１７】
また、本実施の形態の電子システムにおいて、電話端末１および携帯端末２は、ともに電子メール機能を備えている。本実施の形態の電話システムでは、この電子メール機能を利用して、携帯端末２から電話端末１へのプレゼンス情報の送信が行われる。
【００１８】
図２（Ａ）は、本実施の形態に係る電話システムにおいて、携帯端末２が自身の端末状態をプレゼンス情報として電話端末１に送信する場合の第一の動作例を説明するためのシーケンス図である。
【００１９】
電話端末１は、携帯端末２の指定を伴う相手端末確認指示をユーザから受け付けると（Ｓ１０１）、この携帯端末２の端末状態を確認するための電子メール（相手端末確認用プレゼンス調査要求メール）を生成する。そして、この相手端末確認用プレゼンス調査要求メールを、ユーザにより指定された携帯端末２に送信する（Ｓ１０２）。
【００２０】
これを受けて、携帯端末２は、通話状態、マナーモード設定の有無、ＧＰＳ情報等の自端末２の端末状態を取得する（Ｓ１０３）。ここでは、携帯端末２は通話可能状態（通話状態「待機中」かつマナーモード設定「無」の状態）にあるものとする。携帯端末２は、取得した自端末２の端末状態をプレゼンス情報として通知するための電子メール（自端末用プレゼンス通知メール）を生成する。そして、この自端末用プレゼンス通知メールを相手端末確認用プレゼンス調査要求メールの送信元の電話端末１に送信する（Ｓ１０４）。
【００２１】
電話端末１は、携帯端末２から自端末用プレゼンス通知メールを受信すると、この自端末用プレゼンス通知メールからＧＰＳ情報を抽出する。そして、このＧＰＳ情報を含む地図配信要求を地図配信サーバ６に送信して（Ｓ１０５）、このＧＰＳ情報が示す地点付近の地図データを地図配信サーバ６から取得する（Ｓ１０６）。
【００２２】
つぎに、電話端末１は、自端末用プレゼンス通知メールからプレゼンス情報を抽出し、このプレゼンス情報を、地図配信サーバ６から取得した地図データとともに表示する（Ｓ１０７）。また、電話端末１は、自端末用プレゼンス通知メールから抽出したプレゼンス情報が、この自端末用プレゼンス通知メールの送信元の携帯端末２が通話可能状態にあることを示していることを確認し、この携帯端末２に対して自動発信する（Ｓ１０８）。
【００２３】
図２（Ｂ）は、本実施の形態に係る電話システムにおいて、携帯端末２が自身の端末状態をプレゼンス情報として電話端末１に送信する場合の第二の動作例を説明するためのシーケンス図である。
【００２４】
電話端末１は、携帯端末２の指定を伴う相手端末確認指示をユーザから受け付けると（Ｓ１１１）、相手端末確認用プレゼンス調査要求メールを生成して、この相手端末確認用プレゼンス調査要求メールを、ユーザにより指定された携帯端末２に送信する（Ｓ１１２）。
【００２５】
これを受けて、携帯端末２は、通話状態、マナーモード設定の有無、ＧＰＳ情報等の自端末２の端末状態を取得する（Ｓ１１３）。ここでは、携帯端末２は通話不可能状態（通話状態「通話中」あるいはマナーモード設定「有」の状態）にあるものとする。この場合、携帯端末２は、自端末２の端末状態の監視を開始する。また、携帯端末２は、自端末用プレゼンス通知メールを生成して、この自端末用プレゼンス通知メールを相手端末確認用プレゼンス調査要求メールの送信元の電話端末１に送信する（Ｓ１１４）。
【００２６】
電話端末１は、携帯端末２から自端末用プレゼンス通知メールを受信すると、この自端末用プレゼンス通知メールからＧＰＳ情報を抽出する。そして、このＧＰＳ情報を含む地図配信要求を地図配信サーバ６に送信して（Ｓ１１５）、このＧＰＳ情報が示す地点付近の地図データを地図配信サーバ６から取得する（Ｓ１１６）。
【００２７】
つぎに、電話端末１は、自端末用プレゼンス通知メールからプレゼンス情報を抽出し、このプレゼンス情報を、地図配信サーバ６から取得した地図データとともに表示する（Ｓ１１７）。また、電話端末１は、自端末用プレゼンス通知メールから抽出したプレゼンス情報が、この自端末用プレゼンス通知メールの送信元の携帯端末２が通話不可能状態にあることを示していることを確認し、この携帯端末２に対して自動発信せずに待機状態になる。
【００２８】
さて、携帯端末２は、自端末２の端末状態が、通話不可能状態から通話可能状態に変化したならば、自端末２の端末状態を再度取得する（Ｓ１１８）。そして、自端末用プレゼンス通知メールを生成して、この自端末用プレゼンス通知メールを相手端末確認用プレゼンス調査要求メールの送信元の電話端末１に送信する（Ｓ１１９）。
【００２９】
電話端末１は、携帯端末２から自端末用プレゼンス通知メールを受信すると、この自端末用プレゼンス通知メールからＧＰＳ情報を抽出する。そして、このＧＰＳ情報を地図配信サーバ６に送信して（Ｓ１２０）、このＧＰＳ情報が示す地点付近の地図データを地図配信サーバ６から取得する（Ｓ１２１）。
【００３０】
つぎに、電話端末１は、自端末用プレゼンス通知メールからプレゼンス情報を抽出し、このプレゼンス情報を、地図配信サーバ６から取得した地図データとともに表示する（Ｓ１２２）。そして、ユーザから発信指示を受け付けると（Ｓ１２３）、自端末用プレゼンス通知メールの送信元の携帯端末２に対して発信する（Ｓ１２４）。
【００３１】
図３（Ａ）は、本実施の形態に係る電話システムにおいて、複数の携帯端末２が自身の端末状態をプレゼンス情報として電話端末１に送信する場合の動作例を説明するためのシーケンス図である。
【００３２】
電話端末１は、グループの指定を伴う相手端末確認指示をユーザから受け付けると（Ｓ１３１）、相手端末確認用プレゼンス調査要求メールを生成して、このグループに属する携帯端末２各々に、この相手端末確認用プレゼンス調査要求メールを送信する（Ｓ１３２）。
【００３３】
ユーザ指定のグループに属する各携帯端末２は、電話端末１から相手端末確認用プレゼンス調査要求メールを受信すると、自端末２の端末状態を取得する（Ｓ１３３）。ここでは、少なくとも一台の携帯端末２が通話可能状態にあるものとする。
【００３４】
各携帯端末２は、自端末用プレゼンス通知メールを生成して、この自端末用プレゼンス通知メールを相手端末確認用プレゼンス調査要求メールの送信元の電話端末１に送信する（Ｓ１３４）。
【００３５】
電話端末１は、ユーザ指定のグループに属する携帯端末２各々から自端末用プレゼンス通知メールを受信すると、これらの自端末用プレゼンス通知メールからＧＰＳ情報を抽出する。そして、抽出した各ＧＰＳ情報を含む地図配信要求を地図配信サーバ６に送信して（Ｓ１３５）、それぞれのＧＰＳ情報が示す地点付近の地図データを地図配信サーバ６から取得する（Ｓ１３６）。
【００３６】
つぎに、電話端末１は、ユーザ指定のグループに属する携帯端末２各々から受信した自端末用プレゼンス通知メール毎に、自端末用プレゼンス通知メールからプレゼンス情報を抽出し、このプレゼンス情報を、この自端末用プレゼンス通知メールから抽出したＧＰＳ情報が示す地点付近の地図データとともに表示する（Ｓ１３７）。そして、ユーザにより、通話可能状態を示すプレゼンス情報が選択され、このプレゼンス情報に対応する携帯端末２に対する発信指示を受け付けると（Ｓ１３８）、このプレゼンス情報が抽出された自端末用プレゼンス通知メールの送信元の携帯端末２に対して発信する（Ｓ１３９）。なお、通話可能状態を示すプレゼンス情報に対応する携帯端末２のなかから、予め設定されている優先順位（登録順でもよい）に従って発信先を選択し、この発信先に自動発信してもよい。
【００３７】
図３（Ｂ）は、本実施の形態に係る電話システムにおいて、携帯端末２が、自身の周辺に位置する他の携帯端末２の端末情報をプレゼンス情報として電話端末１に送信する場合の動作例を説明するためのシーケンス図である。
【００３８】
電話端末１は、携帯端末２の指定を伴う周辺端末確認指示をユーザから受け付けると（Ｓ１４１）、この携帯端末２の周辺に位置する他の携帯端末２（以下、周辺端末）を確認するための電子メール（周辺端末確認用プレゼンス調査要求メール）を生成する。そして、この周辺端末確認用プレゼンス調査要求メールを、ユーザにより指定された携帯端末２に送信する（Ｓ１４２）。
【００３９】
これを受けて、携帯端末２は、自端末２の識別情報を含む位置情報送信要求を位置情報共有サーバ７に送信して（Ｓ１４３）、自端末２に対応付けられて予め登録されている他の携帯端末２のＧＰＳ情報および電話番号を位置情報共有サーバ７から取得する（Ｓ１４４）。
【００４０】
つぎに、携帯端末２は、自端末２のＧＰＳ情報を取得する。そして、このＧＰＳ情報が示す地点から、位置情報共有サーバ７から取得した他の携帯端末２各々のＧＰＳ情報が示す各地点までの距離を計算し、この距離が所定値以内の他の携帯端末２を周辺端末２として探索する（Ｓ１４５）。
【００４１】
それから、携帯端末２は、周辺端末２の電話番号等の端末情報をプレゼンス情報として通知するための電子メール（周辺端末用プレゼンス通知メール）を生成する。そして、この周辺端末用プレゼンス通知メールを周辺端末確認用プレゼンス調査要求メールの送信元の電話端末１に送信する（Ｓ１４６）。
【００４２】
電話端末１は、携帯端末２から周辺端末用プレゼンス通知メールを受信すると、この周辺端末用プレゼンス通知メールから周辺端末２のプレゼンス情報を抽出して表示する（Ｓ１４７）。
【００４３】
つぎに、本実施の形態に係る電話システムを構成する電話端末１、携帯端末２について詳細に説明する。
【００４４】
まず、電話端末１について説明する。
【００４５】
図４は、本実施の形態に係る電話システムを構成する電話端末１の概略機能構成図である。
【００４６】
図示するように、電話端末１は、通信インターフェース部１０１と、マンマシンインターフェース部１０２と、電話機能部１０３と、メール送受信部１０４と、メール機能部１０５と、電話帳記憶部１０６と、プレゼンス調査要求メール生成部１０７と、メール振分部１０８と、地図データ要求部１０９と、プレゼンス通知メール処理部１１０と、プレゼンス情報表示部１１１と、を有する。
【００４７】
通信インターフェース部１０１は、ＬＡＮ８１を介して、他の電話端末１、携帯端末２、地図配信サーバ６等と通信を行うためのインターフェースである。
【００４８】
マンマシンインターフェース部１０２は、ユーザが電話および各種操作を行うためのインターフェースであり、図示していないが、ハンドセット、スピーカ、フックボタン、ダイヤルキー等の操作部、およびＬＣＤ、ＬＥＤ等の表示部を備える。
【００４９】
電話機能部１０３は、通信インターフェース部１０１を介して、発着信処理、通話処理等の電話本来の機能を実現する。
【００５０】
メール送受信部１０４は、ＳＭＴＰ、ＰＯＰ３等の通信プロトコルに従い、通信インターフェース部１０１を介して電子メールの送受信を行う。
【００５１】
メール機能部１０５は、電子メールの作成、閲覧および管理を行う電子メールクライアントである。メール機能部１０５は、マンマシンインターフェース部１０２を介してユーザから受け付けた文字列を送信メールに展開したり、メール振分部１０８を介してメール送受信部１０４から受け取った受信メールを、マンマシンインターフェース部１０２を介してユーザに通知したり、送受信メールを保存したりする。
【００５２】
電話帳記憶部１０６には、携帯端末２毎に、携帯端末２の電話番号、メールアドレス、および携帯端末２が属するグループのグループ番号を含む電話帳データが記憶されている。
【００５３】
プレゼンス調査要求メール生成部１０７は、マンマシンインターフェース部１０２を介して受け付けたユーザの指示（相手端末確認指示、周辺端末確認指示）に従い、プレゼンス調査要求メール（相手端末確認用、周辺端末確認用）を生成する。そして、ユーザにより指定された携帯端末２に、このプレゼンス調査要求メールを送信する。
【００５４】
メール振分部１０８は、メール送受信部１０４から受け取った電子メールを解析して、それがプレゼンス通知メールであるか否かを判断する。そして、メール送受信部１０４から受け取った電子メールがプレゼンス通知メールであるならば、この電子メールをプレゼンス通知メール処理部１１０に渡す。一方、プレゼンス通知メールでないならば、この電子メールをメール機能部１０５に渡す。
【００５５】
地図データ要求部１０９は、通信インターフェース部１０１を介して地図配信サーバ６に、プレゼンス通知メール処理部１１０から受け取ったＧＰＳ情報を含む地図配信要求を送信して、このＧＰＳ情報が示す地点付近の地図データを地図配信サーバ６から取得する。
【００５６】
プレゼンス通知メール処理部１１０は、メール振分部１０８から受け取ったプレゼンス通知メールに応じた処理を実施する。
【００５７】
具体的には、プレゼンス通知メールが周辺端末用プレゼンス通知メールであるならば、この周辺端末用プレゼンス通知メールからプレゼンス情報を抽出し、このプレゼンス情報をプレゼンス情報表示部１１１に渡す。一方、プレゼンス通知メールが自端末用プレゼンス通知メールであるならば、この自端末用プレゼンス通知メールからプレゼンス情報を抽出し、このプレゼンス情報に含まれているＧＰＳ情報を地図データ要求部１０９に渡して、地図データ要求部１０９から地図データを取得する。そして、プレゼンス情報および地図データをプレゼンス情報表示部１１１に渡す。
【００５８】
また、プレゼンス通知メール処理部１１０は、プレゼンス通知メールが自端末用プレゼンス通知メールである場合において、この自端末用プレゼンス通知メールから抽出したプレゼンス情報が通話可能状態を示しているならば、この自端末用プレゼンス通知メールの送信元に対して自動発信するように電話機能部１０３を制御する。
【００５９】
プレゼンス情報表示部１１１は、プレゼンス通知メール処理部１１０から受け取ったプレゼンス情報、あるいはプレゼンス情報および地図データを、マンマシンインターフェース部１０２に表示する。
【００６０】
図５は、携帯端末２の指定を伴う相手端末確認指示をユーザから受け付けた場合における電話端末１の動作（図２）を説明するためのフロー図である。
【００６１】
まず、プレゼンス調査要求メール生成部１０７は、マンマシンインターフェース部１０２を介してユーザから受け付けた携帯端末２の電話番号をキーにして、この携帯端末２のメールアドレスを電話帳記憶部１０６から検索する（Ｓ２０１）。
【００６２】
つぎに、プレゼンス調査要求メール生成部１０７は、検索したメールアドレスを宛先アドレスとする相手端末確認用プレゼンス調査要求メールを生成し、この相手端末確認用プレゼンス調査要求メールを、メール送受信部１０４を介して通信インターフェース部１０１から送信する（Ｓ２０２）。また、プレゼンス調査要求メール生成部１０７は、プレゼンス通知メール処理部１１０に、相手端末確認用プレゼンス調査要求メールの送信先の携帯端末２の電話番号およびメールアドレスを通知して、自端末用プレゼンス通知メールの処理を指示する。
【００６３】
これを受けて、プレゼンス通知メール処理部１１０は、メール振分部１０８を介して相手端末確認用プレゼンス調査要求メールの送信先２から自端末用プレゼンス通知メールが送られてくるのを待つ（Ｓ２０３、Ｓ２０４）。
【００６４】
ここで、相手端末確認用プレゼンス調査要求メールの送信先２から自端末用プレゼンス通知メールを受け取ることなく、所定の時間の経過によりタイムアウトした場合（Ｓ２０４でＹＥＳ）、プレゼンス通知メール処理部１１０は、プレゼンス情報表示部１１１にその旨を通知する。これを受けて、プレゼンス情報表示部１１１は、ユーザ指定の携帯端末２からプレゼンス情報についての応答がなかった旨のメッセージをマンマシンインターフェース部１０２に表示する（Ｓ２０５）。
【００６５】
一方、タイムアウトする前に、相手端末確認用プレゼンス調査要求メールの送信先２から自端末用プレゼンス通知メールを受け取った場合（Ｓ２０３でＹＥＳ）、プレゼンス通知メール処理部１１０は、この自端末用プレゼンス通知メールからプレゼンス情報を抽出し、地図データ要求部１０９に、このプレゼンス情報に含まれているＧＰＳ情報を渡して地図データの取得を指示する。これを受けて、地図データ要求部１０９は、通信インターフェース部１０１を介して地図配信サーバ６に、プレゼンス通知メール処理部１１０から受け取ったＧＰＳ情報を含む地図配信要求を送信して、このＧＰＳ情報が示す地点付近の地図データを地図配信サーバ６から取得する（Ｓ２０６）。
【００６６】
つぎに、プレゼンス通知メール処理部１１０は、自端末用プレゼンス通知メールから抽出したプレゼンス情報を、地図データ要求部１０９が取得した地図データとともに、プレゼンス情報表示部１１１に渡す。これを受けて、プレゼンス情報表示部１１１は、プレゼンス通知メール処理部１１０から受け取ったプレゼンス情報および地図データを、マンマシンインターフェース部１０２に表示する（Ｓ２０７）。
【００６７】
つぎに、プレゼンス通知メール処理部１１０は、自端末用プレゼンス通知メールから抽出したプレゼンス情報が、相手端末確認用プレゼンス調査要求メールの送信先の携帯端末２が通話可能状態であることを示しているか否かを調べる（Ｓ２０８）。具体的には、プレゼンス情報に含まれている通話状態、マナーモード設定がそれぞれ「待機中」、「無」であるか否かを調べる。そして、通話可能状態を示している場合（Ｓ２０８でＹＥＳ）、プレゼンス通知メール処理部１１０は、相手端末確認用プレゼンス調査要求メールの送信先の携帯端末２の電話番号を電話機能部１０３に通知する。これを受けて、電話機能部１０３は、この携帯端末２に対する自動発信処理を開始する（Ｓ２０９）。
【００６８】
一方、自端末用プレゼンス通知メールから抽出したプレゼンス情報が、相手端末確認用プレゼンス調査要求メールの送信先の携帯端末２が通話不可能状態であることを示している場合（Ｓ２０８でＮＯ）、プレゼンス通知メール処理部１１０は、メール振分部１０８を介して相手端末確認用プレゼンス調査要求メールの送信先２から自端末用プレゼンス通知メールが再度送られてくるのを待つ（Ｓ２１０、Ｓ２１１）。
【００６９】
ここで、相手端末確認用プレゼンス調査要求メールの送信先２から自端末用プレゼンス通知メールを再度受け取ることなく、所定の時間の経過によりタイムアウトした場合（Ｓ２１１でＹＥＳ）、プレゼンス通知メール処理部１１０は自端末用プレゼンス通知メールの処理を停止する。
【００７０】
一方、タイムアウトする前に、相手端末確認用プレゼンス調査要求メールの送信先２から自端末用プレゼンス通知メールを再度受け取った場合（Ｓ２１０でＹＥＳ）、プレゼンス通知メール処理部１１０は、この自端末用プレゼンス通知メールからプレゼンス情報を抽出し、このプレゼンス情報に含まれているＧＰＳ情報を渡して地図データの取得を地図データ要求部１０９に指示する。これを受けて、地図データ要求部１０９は、通信インターフェース部１０１を介して地図配信サーバ６に、プレゼンス通知メール処理部１１０から受け取ったＧＰＳ情報を含む地図配信要求を送信して、このＧＰＳ情報が示す地点付近の地図データを地図配信サーバ６から取得する（Ｓ２１２）。
【００７１】
つぎに、プレゼンス通知メール処理部１１０は、自端末用プレゼンス通知メールから抽出したプレゼンス情報を、地図データ要求部１０９が取得した地図データとともに、プレゼンス情報表示部１１１に渡す。これを受けて、プレゼンス情報表示部１１１は、プレゼンス通知メール処理部１１０から受け取ったプレゼンス情報および地図データを、マンマシンインターフェース部１０２に表示する（Ｓ２１３）。
【００７２】
図６（Ａ）は、携帯端末２のグループの指定を伴う相手端末確認指示をユーザから受け付けた場合における電話端末１の動作（図３（Ａ））を説明するためのフロー図である。
【００７３】
まず、プレゼンス調査要求メール生成部１０７は、マンマシンインターフェース部１０２を介してユーザから受け付けたグループ番号をキーにして、このグループ番号により特定されるグループに所属する携帯端末２各々の電話番号、メールアドレスを電話帳記憶部１０６から検索する（Ｓ２２１）。
【００７４】
つぎに、プレゼンス調査要求メール生成部１０７は、検索したメールアドレス毎に、このメールアドレスを宛先アドレスとする相手端末確認用プレゼンス調査要求メールを生成し、この相手端末確認用プレゼンス調査要求メールを、メール送受信部１０４を介して通信インターフェース部１０１から送信する（Ｓ２２２）。また、プレゼンス調査要求メール生成部１０７は、プレゼンス通知メール処理部１１０に、相手端末確認用プレゼンス調査要求メールの送信先の携帯端末２各々の電話番号およびメールアドレスを通知して、自端末用プレゼンス通知メールの処理を指示する。
【００７５】
これを受けて、プレゼンス通知メール処理部１１０は、メール振分部１０８を介して相手端末確認用プレゼンス調査要求メールの送信先２各々から自端末用プレゼンス通知メールが送られてくるのを待つ（Ｓ２２３〜Ｓ２２６）。
【００７６】
ここで、相手端末確認用プレゼンス調査要求メールのいずれの送信先２からも自端末用プレゼンス通知メールを受け取ることなく、所定の時間の経過によりタイムアウトした場合（Ｓ２２３でＮＯ、Ｓ２２５でＹＥＳ、Ｓ２２６でＹＥＳ）、プレゼンス通知メール処理部１１０は、プレゼンス情報表示部１１１にその旨を通知する。これを受けて、プレゼンス情報表示部１１１は、ユーザ指定のグループに所属するいずれの携帯端末２からもプレゼンス情報についての応答がなかった旨のメッセージをマンマシンインターフェース部１０２に表示する（Ｓ２２９）。
【００７７】
一方、タイムアウトする前に、相手端末確認用プレゼンス調査要求メールの全ての送信先２から自端末用プレゼンス通知メールを受け取った場合（Ｓ２２３でＹＥＳ、Ｓ２２４でＹＥＳ）、あるいは、タイムアウトするまでに、相手端末確認用プレゼンス調査要求メールの少なくとも一つの送信先２から自端末用プレゼンス通知メールを受け取った場合（Ｓ２２３でＹＥＳ、Ｓ２２４でＮＯ、Ｓ２２５でＹＥＳ、Ｓ２２６でＮＯ）、プレゼンス通知メール処理部１１０は、それまでに受け取った自端末用プレゼンス通知メール毎に、この自端末用プレゼンス通知メールからプレゼンス情報を抽出し、地図データ要求部１０９に、このプレゼンス情報に含まれているＧＰＳ情報を渡して地図データの取得を指示する。これを受けて、地図データ要求部１０９は、通信インターフェース部１０１を介して地図配信サーバ６に、プレゼンス通知メール処理部１１０から受け取ったＧＰＳ情報を含む地図配信要求を送信して、このＧＰＳ情報が示す地点付近の地図データを地図配信サーバ６から取得する（Ｓ２２７）。
【００７８】
つぎに、プレゼンス通知メール処理部１１０は、それまでに受け取った自端末用プレゼンス通知メール毎に、この自端末用プレゼンス通知メールから抽出したプレゼンス情報を、地図データ要求部１０９により取得した、このプレゼンス情報に含まれているＧＰＳ情報が示す地点付近の地図データとともに、プレゼンス情報表示部１１１に渡す。これを受けて、プレゼンス情報表示部１１１は、自端末用プレゼンス通知メール毎に、プレゼンス通知メール処理部１１０から受け取ったプレゼンス情報および地図データをマンマシンインターフェース部１０２に表示する（Ｓ２２８）。
【００７９】
図６（Ｂ）は、携帯端末２の指定を伴う周辺端末確認指示をユーザから受け付けた場合における電話端末１の動作（図３（Ｂ））を説明するためのフロー図である。
【００８０】
まず、プレゼンス調査要求メール生成部１０７は、マンマシンインターフェース部１０２を介してユーザから受け付けた携帯端末２の電話番号をキーにして、この携帯端末２のメールアドレスを電話帳記憶部１０６から検索する（Ｓ２４１）。
【００８１】
つぎに、プレゼンス調査要求メール生成部１０７は、検索したメールアドレスを宛先アドレスとする周辺端末確認用プレゼンス調査要求メールを生成し、この周辺端末確認用プレゼンス調査要求メールを、メール送受信部１０４を介して通信インターフェース部１０１から送信する（Ｓ２４２）。また、プレゼンス調査要求メール生成部１０７は、プレゼンス通知メール処理部１１０に、周辺端末確認用プレゼンス調査要求メールの送信先の携帯端末２の電話番号およびメールアドレスを通知して、周辺端末用プレゼンス通知メールの処理を指示する。
【００８２】
これを受けて、プレゼンス通知メール処理部１１０は、メール振分部１０８を介して周辺端末確認用プレゼンス調査要求メールの送信先２から周辺端末用プレゼンス通知メールが送られてくるのを待つ（Ｓ２４３、Ｓ２４４）。
【００８３】
ここで、周辺端末確認用プレゼンス調査要求メールの送信先２から周辺端末用プレゼンス通知メールを受け取ることなく、所定の時間の経過によりタイムアウトした場合（Ｓ２４４でＹＥＳ）、プレゼンス通知メール処理部１１０は、プレゼンス情報表示部１１１にその旨を通知する。これを受けて、プレゼンス情報表示部１１１は、ユーザ指定の携帯端末２からプレゼンス情報についての応答がなかった旨のメッセージをマンマシンインターフェース部１０２に表示する（Ｓ２４６）。
【００８４】
一方、タイムアウトする前に、周辺端末確認用プレゼンス調査要求メールの送信先２から周辺端末用プレゼンス通知メールを受け取った場合（Ｓ２４３でＹＥＳ）、プレゼンス通知メール処理部１１０は、この周辺端末用プレゼンス通知メールからプレゼンス情報を抽出し、このプレゼンス情報をプレゼンス情報表示部１１１に渡す。これを受けて、プレゼンス情報表示部１１１は、プレゼンス通知メール処理部１１０から受け取ったプレゼンス情報をマンマシンインターフェース部１０２に表示する（Ｓ２４５）。
【００８５】
つぎに、携帯端末２について説明する。
【００８６】
図７は、本発明の第一実施の形態に係る電話システムを構成する携帯端末２の概略機能構成図である。
【００８７】
図示するように、携帯端末２は、無線通信インターフェース部２０１と、マンマシンインターフェース部２０２と、携帯電話機能部２０３と、メール送受信部２０４と、メール機能部２０５と、ＧＰＳ受信部２０６と、端末状態取得部２０７と、位置情報共有処理部２０８と、メール振分部２０９と、プレゼンス調査要求メール処理部２１０と、プレゼンス通知メール生成部２１１と、を有する。
【００８８】
無線通信インターフェース部２０１は、無線基地局５２を介して、他の携帯端末２、電話端末１、位置情報共有サーバ７等と通信を行うためのインターフェースである。
【００８９】
マンマシンインターフェース部２０２は、ユーザが電話および各種操作を行うためのインターフェースであり、図示していないが、ハンドセット、スピーカ、フックボタン、ダイヤルキー等の操作部、およびＬＣＤ、ＬＥＤ等の表示部を備える。
【００９０】
携帯電話機能部２０３は、無線通信インターフェース部２０１を介して、発着信処理、通話処理等の携帯電話本来の機能を実現する。
【００９１】
メール送受信部２０４は、ＳＭＴＰ、ＰＯＰ３等の通信プロトコルに従い、無線通信インターフェース部２０１を介して電子メールの送受信を行う。
【００９２】
メール機能部２０５は、電子メールの作成、閲覧および管理を行う電子メールクライアントである。メール機能部２０５は、マンマシンインターフェース部２０２を介してユーザから受け付けた文字列を送信メールに展開したり、メール振分部２０９を介してメール送受信部２０４から受け取った受信メールを、マンマシンインターフェース部２０２を介してユーザに通知したり、送受信メールを保存したりする。
【００９３】
ＧＰＳ受信部２０６は、ＧＰＳ衛星からＧＰＳ情報を受信する。
【００９４】
端末状態取得部２０７は、自端末２の端末状態を取得する。具体的には、携帯電話機能部２０３から通話状態（「通話中」か「待機中」か）、マナーモード設定の有無等を取得するとともに、ＧＰＳ受信部２０６から自端末２のＧＰＳ情報を取得する。
【００９５】
位置情報共有処理部２０８は、無線通信インターフェース部２０１を介して位置情報共有サーバ７に、ＧＰＳ受信部２０６で受信した最新のＧＰＳ情報を含む位置情報登録要求を送信して、自端末２のＧＰＳ情報を位置情報共有サーバ７に登録する。また、無線通信インターフェース部２０１を介して位置情報共有サーバ７に位置情報送信要求を送信して、予め登録された他の携帯端末２のＧＰＳ情報を電話番号とともに取得する。
【００９６】
メール振分部２０９は、メール送受信部２０４から受け取った電子メールを解析して、それがプレゼンス調査要求メールであるか否かを判断する。そして、メール送受信部２０４から受け取った電子メールがプレゼンス調査要求メールであるならば、この電子メールをプレゼンス調査要求メール処理部２１０に渡す。一方、プレゼンス調査要求メールでないならば、この電子メールをメール機能部２０５に渡す。
【００９７】
プレゼンス調査要求メール処理部２１０は、メール振分部２０９から受け取ったプレゼンス調査要求メールに応じた処理を実施する。
【００９８】
具体的には、プレゼンス調査要求メールが相手端末確認用プレゼンス調査要求メールであるならば、端末状態取得部２０７およびＧＰＳ受信部２０６と連携して、通話状態、マナーモード設定の有無、ＧＰＳ情報等の自端末２の端末状態を含むプレゼンス情報を生成する。そして、プレゼンス通知メール生成部２１１に、このプレゼンス情報を相手端末確認用プレゼンス調査要求メールの送信元アドレスとともに渡して、自端末用プレゼンス通知メールの生成を指示する。ここで、自端末２の端末状態が通話不可能である場合（通話状態「通話中」またはマナーモード設定「有」の場合）、所定の時間内に自端末２が通話可能になったならば、自端末２の端末状態を含むプレゼンス情報を再度生成して、プレゼンス通知メール生成部２１１に自端末用プレゼンス通知メールの生成を再度指示する。
【００９９】
一方、プレゼンス調査要求メールが周辺端末確認用プレゼンス調査要求メールであるならば、位置情報共有処理部２０８およびＧＰＳ受信部２０６と連携して、自端末２付近に位置する携帯端末２（周辺端末）の電話番号を含むプレゼンス情報を生成する。そして、プレゼンス通知メール生成部２１１に、このプレゼンス情報を周辺端末確認用プレゼンス調査要求メールの送信元アドレスとともに渡して、周辺端末用プレゼンス通知メールの生成を指示する。
【０１００】
プレゼンス通知メール生成部２１１は、プレゼンス調査要求メール処理部２１０の指示に従い、プレゼンス調査要求メール処理部２１０より渡されたプレゼンス情報を通知するためのプレゼンス通知メール（自端末用、周辺端末用）を生成する。そして、このプレゼンス通知メールを、メール送受信部２０４および無線通信インターフェース部２０１を介してプレゼンス調査要求メールの送信元の電話端末１に送信する。
【０１０１】
図８（Ａ）は、電話端末１から相手端末確認用プレゼンス調査要求メールを受信した場合における携帯端末２の動作（図２）を説明するためのフロー図である。
【０１０２】
まず、プレゼンス調査要求メール処理部２１０は、端末状態取得部２０７に自端末２の最新の端末状態の取得を指示する。これを受けて、端末状態取得部２０７は、携帯電話機能部２０３から、自端末２の通話状態およびマナーモード設定の有無等を取得するとともに、ＧＰＳ受信部２０６から最新のＧＰＳ情報の取得する（Ｓ３０１）。そして、端末状態取得部２０７は、このとき得られた端末状態（通話状態、マナーモード設定の有無、ＧＰＳ情報）をプレゼンス調査要求メール処理部２１０に通知する。
【０１０３】
つぎに、プレゼンス調査要求メール処理部２１０は、自端末２の最新の端末状態を含むプレゼンス情報を生成する。そして、プレゼンス通知メール生成部２１１に、このプレゼンス情報を相手端末確認用プレゼンス調査要求メールの送信元アドレスとともに渡して、自端末用プレゼンス通知メールの生成を指示する。これを受けて、プレゼンス通知メール生成部２１１は、プレゼンス調査要求メール処理部２１０より渡された自端末用プレゼンス情報を通知するための自端末用プレゼンス通知メールを生成する。そして、このプレゼンス通知メールを、メール送受信部２０４および無線通信インターフェース部２０１を介して、自端末用プレゼンス調査要求メールの送信元の電話端末１に送信する（Ｓ３０２）。
【０１０４】
つぎに、プレゼンス調査要求メール処理部２１０は、Ｓ３０１で取得した自端末２の最新の端末状態に基づいて、自端末２が通話不可能状態にあるか否かを調べる（Ｓ３０３）。具体的には、通話状態が「通話中」であるか、あるいはマナーモード設定が「有」に設定されている場合、自端末２が通話不可能状態にあると判断する。自端末２が通話可能状態にあるならば（Ｓ３０３でＮＯ）、このフローを終了する。一方、自端末２が通話不可能状態にあるならば（Ｓ３０３でＹＥＳ）、例えば、定期的に、自端末２の最新の端末状態を端末状態取得部２０７に取得させ、この端末状態に基づいて、自端末２が通話可能状態に変化したか否かを調べる（Ｓ３０４、Ｓ３０５）。
【０１０５】
ここで、自端末２が通話可能な状態に変化することなく、所定の時間の経過によりタイムアウトしたならば（Ｓ３０５でＹＥＳ）、このフローを終了する。一方、タイムアウトする前に、自端末２が通話可能状態に変化した場合（Ｓ３０４でＹＥＳ）、プレゼンス調査要求メール処理部２１０は、端末状態取得部２０７から自端末２の最新の端末状態を再度取得する（Ｓ３０６）。
【０１０６】
つぎに、プレゼンス調査要求メール処理部２１０は、自端末２の最新の端末状態を含むプレゼンス情報を再度生成する。そして、プレゼンス通知メール生成部２１１に、このプレゼンス情報を相手端末確認用プレゼンス調査要求メールの送信元アドレスとともに渡して、自端末用プレゼンス通知メールの生成を再度指示する。これを受けて、プレゼンス通知メール生成部２１１は、プレゼンス調査要求メール処理部２１０より渡されたプレゼンス情報を通知するための自端末用プレゼンス通知メールを再度生成して、相手端末確認用プレゼンス調査要求メールの送信元の電話端末１に送信する（Ｓ３０７）。
【０１０７】
図８（Ｂ）は、電話端末１から周辺端末確認用プレゼンス調査要求メールを受信した場合における携帯端末２の動作（図３（Ｂ））を説明するためのフロー図である。
【０１０８】
まず、プレゼンス調査要求メール処理部２１０は、位置情報共有処理部２０８に他の携帯端末２のＧＰＳ情報取得を指示する。これを受けて、位置情報共有処理部２０８は、自端末２の識別情報を含む位置情報送信要求を、無線通信インターフェース部２０１を介して位置情報共有サーバ７に送信して、自端末２に対応付けられて予め登録された他の携帯端末２各々のＧＰＳ情報および電話番号を位置情報共有サーバ７から取得する（Ｓ３１１）。そして、各携帯端末２のＧＰＳ情報および電話番号をプレゼンス調査要求メール処理部２１０に通知する。
【０１０９】
また、プレゼンス調査要求メール処理部２１０は、端末状態取得部２０７を介して、ＧＰＳ受信部２０６から自端末２の最新のＧＰＳ情報を取得する（Ｓ３１２）。
【０１１０】
つぎに、プレゼンス調査要求メール処理部２１０は、予め登録された携帯端末２毎に、位置情報共有処理部２０８から受け取ったこの携帯端末２のＧＰＳ情報が示す地点と、自端末２の最新のＧＰＳ情報が示す地点とを比較して、この携帯端末２が自端末２から所定範囲内に位置する周辺端末２であるか否かを判断する（Ｓ３１３）。
【０１１１】
それから、プレゼンス調査要求メール処理部２１０は、周辺端末２であると判断された携帯端末２の電話番号等の端末情報を含むプレゼンス情報を生成する。そして、プレゼンス通知メール生成部２１１に、このプレゼンス情報を周辺端末確認用プレゼンス調査要求メールの送信元アドレスとともに渡して、周辺端末用プレゼンス通知メールの生成を指示する。これを受けて、プレゼンス通知メール生成部２１１は、プレゼンス調査要求メール処理部２１０より渡されたプレゼンス情報を通知するための周辺端末用プレゼンス通知メールを生成し、このプレゼンス通知メールを、メール送受信部２０４および無線通信インターフェース部２０１を介して、周辺端末確認用プレゼンス調査要求メールの送信元の電話端末１に送信する（Ｓ３１４）。
【０１１２】
以上、本発明の第一実施の形態について説明した。
【０１１３】
本実施の形態において、携帯端末２は、電話端末１からプレゼンス調査要求メール（相手端末確認用、周辺端末確認用）を受信すると、自端末２あるいは周辺端末２の情報を取得し、取得した情報を含むプレゼンス情報を通知するためのプレゼンス通知メール（自端末用、周辺端末用）を生成して、このプレゼンス通知メールを電話端末１に送信する。また、電話端末１は、ユーザから、携帯端末２の指定を伴う指示（相手端末確認指示、周辺端末確認指示）を受け付けると、この携帯端末２にプレゼンス調査要求メール（相手端末確認用、周辺端末確認用）を送信して、この携帯端末２からプレゼンス通知メール（自端末用、周辺端末用）を受信する。そして、このプレゼンス通知メールからプレゼンス情報を抽出して表示する。
【０１１４】
したがって、本実施の形態によれば、電話端末１は、携帯端末２からプレゼンス情報を直接取得するので、専用のサーバを必要とすることなく、最新のプレゼンス情報を取得することができる。
【０１１５】
また、本実施の形態において、電話端末１は、自端末用プレゼンス通知メールから抽出したプレゼンス情報が、自端末用プレゼンス通知メール送信元の携帯端末２が通話可能であることを示している場合に、この携帯端末２に対して自動発信する。したがって、本実施の形態によれば、発信操作の負担を軽減できるとともに、携帯端末２のユーザが応答できない無駄な発信を防止することができる。
【０１１６】
また、本実施の形態において、携帯端末２は、相手端末確認用プレゼンス調査要求メールに応答して送信した自端末用プレゼンス通知メールのプレゼンス情報が、自端末２が通話不可能であることを示している場合に、自端末２が通話可能になるのを待って自端末２の情報を再度取得し、この自端末２の情報を含むプレゼンス情報を通知するための自端末用プレゼンス通知メールを電話端末１に再度送信する。
【０１１７】
したがって、本実施の形態によれば、電話端末１のユーザは、携帯端末２に対して相手端末確認用プレゼンス調査要求メールを何度も送らなくても、それまで通話不可能な状態にあったこの携帯端末２が通話可能になったことを直ちに知ることができ、利便性が向上する。
【０１１８】
また、本実施の形態によれば、電話端末１は、グループの指定を伴う相手端末確認指示をユーザから受け付けると、このグループに属する各携帯端末２に相手端末確認用プレゼンス調査要求メールを送信して、このグループに属する各携帯端末２から自端末用プレゼンス通知メールを受信する。そして、これらのプレゼンス通知メールからプレゼンス情報を抽出し表示する。したがって、本実施の形態によれば、複数の携帯端末２のプレゼンス情報をまとめて取得することができ、利便性が向上する。
【０１１９】
また、本実施の形態において、携帯端末２は、電話端末１から周辺端末確認用プレゼンス調査要求メールを受信すると、位置情報共有サーバ７から、予め登録された他の携帯端末２各々のＧＰＳ情報を取得し、これらのＧＰＳ情報が示す地点と自端末２のＧＰＳ情報が示す地点とを比較して、自端末２の付近に位置する周辺端末２を探索する。そして、周辺端末２の情報を含むプレゼンス情報を通知するための周辺端末用プレゼンス通知メールを生成して電話端末１に送信する。また、電話端末１は、ユーザから、携帯端末２の指定を伴う周辺端末確認指示を受け付けると、この携帯端末２に周辺端末確認用プレゼンス調査要求メールを送信して、この携帯端末２から周辺端末用プレゼンス通知メールを受信する。そして、このプレゼンス通知メールからプレゼンス情報を抽出し、ユーザ指定の携帯端末２の周辺端末２の情報を表示する。
【０１２０】
したがって、本実施の形態によれば、電話端末１のユーザは、例えば携帯端末２が通話不可能な状態にある場合に、この携帯端末２の付近にある他の携帯端末２（周辺端末）の存在を知ることができる。このため、周辺端末２に電話をして、通話不可能状態にある携帯端末２のユーザにメッセージを伝えてもらうことができ、利便性が向上する。
【０１２１】
なお、本実施の形態では、携帯端末２が通話可能状態にあるか否かを携帯端末２の通話状態およびマナーモード設定の有無に基づいて判断しているが、本発明はこれに限定されない。例えば、携帯端末２が備えるスケジュールデータに登録されている現在の予定（例えば会議中か否か）を、通話可能状態にあるか否かの判断基準に加えてもよい。この場合、端末状態取得部２０７が、プレゼンス調査要求メール処理部２１０の指示に従い、携帯端末２のスケジュールデータ記憶部（不図示）から現在の予定を読み出して、これを自端末２の端末状態に含めてプレゼンス調査要求メール処理部２１０に通知する。また、例えば、ＧＰＳ情報が示す地点が、予め定められた通話禁止区域にあるか否かを通話可能状態にあるか否かの判断基準に加えてもよい。この場合、電話端末１および携帯端末２のそれぞれに通話禁止区域に関する情報を予め登録しておく。
【０１２２】
また、本実施の形態では、プレゼンス情報の取得機能を電話端末１に持たせ、プレゼンス情報の通知機能を携帯端末２に持たせているが、本発明はこれに限定されない。プレゼンス情報の取得機能を携帯端末２に持たせ、プレゼンス情報の通知機能を電話端末１に持たせてもよいし、あるいは、電話端末１および携帯端末２のそれぞれに、プレゼンス情報の取得機能および通知機能の両方を持たせるようにしてもよい。
【０１２３】
＜第二実施の形態＞
本発明の第二実施の形態に係る携帯端末３は、コールウェイティング機能を有するＷＡＮ８３を介して、電話端末４Ａ、４Ｂと接続する。そして、電子メール機能を利用して電話端末４Ａ、４Ｂに通話相手の情報を通知する。
【０１２４】
図９は、本発明の第二実施の形態に係る携帯端末３が、通話相手の情報をプレゼンス情報として電話端末４Ａ、４Ｂに送信する場合の動作例を説明するためのシーケンス図である。
【０１２５】
携帯端末３と電話端末４Ｂとの通話中に（Ｓ４０１）、電話端末４Ａが携帯端末３に対して発信すると（Ｓ４０２）、ＷＡＮ８３から携帯端末３にコールウェイティング通知が着信する（Ｓ４０３）。
【０１２６】
これを受けて、携帯端末３は、コールウェイティング通知が着信したことをユーザに知らせて、ユーザからの応答操作を待つ。そして、ユーザから応答操作を受けることなく、所定時間ｔをタイムアウトしたならば（Ｓ４０４）、自身の電話帳データを用いて、コールウェイティング通知の発信者番号から電話端末４Ａのメールアドレスを検索するとともに（Ｓ４０５）、電話端末４Ｂの電話番号から通話相手の個人情報（名前、役職、属性等）を検索する（Ｓ４０６）。そして、通話相手の情報をプレゼンス情報として通知するための電子メール（通話相手用プレゼンス通知メール）を生成し、この通話相手用プレゼンス通知メールを、自端末３に対して発信中の電話端末４Ａに送信する（Ｓ４０７）。
【０１２７】
その後、携帯端末３は、ユーザから応答操作を受けると（Ｓ４０８）、コールウェイティング応答を送信する（Ｓ４０９）。そして、電話端末４Ａは、ＷＡＮ８３から応答を受信し（Ｓ４１０）、携帯端末３との間に通話路が形成される（Ｓ４１１）。その結果、携帯端末３の通話相手が電話端末４Ｂから電話端末４Ａに切り替わる。
【０１２８】
これを受けて、携帯端末３は、自身の電話帳データを用いて、前通話相手（保留中の通話相手）である電話端末４Ｂの電話番号から電話端末４Ｂのメールアドレスを検索するとともに（Ｓ４１２）、電話端末４Ａの電話番号から現通話相手の個人情報（名前、役職、属性等）を検索する（Ｓ４１３）。そして、現通話相手（通話中の通話相手）の情報をプレゼンス情報として通知するための電子メール（通話相手用プレゼンス通知メール）を生成し、この通話相手用プレゼンス通知メールを前通話相手の電話端末４Ｂに送信する（Ｓ４１４）。
【０１２９】
つぎに、本実施の形態に係る携帯端末３について詳細に説明する。
【０１３０】
なお、電話端末４Ａ、４Ｂには、電子メール機能を有する既存の電話機を利用できるので、その詳細な説明を省略する。
【０１３１】
図１０は、本実施の形態に係る携帯端末３の概略機能構成図である。
【０１３２】
図示するように、携帯端末３は、無線通信インターフェース部３０１と、マンマシンインターフェース部３０２と、携帯電話機能部３０３と、メール送受信部３０４と、メール機能部３０５と、電話帳記憶部３０６と、コールウェイティング監視部３０７と、プレゼンス通知メール生成部３０８と、を有する。
【０１３３】
無線通信インターフェース部３０１は、ＷＡＮ８３を介して、電話端末４Ａ、４Ｂ等と通信を行うための無線インターフェースである。
【０１３４】
マンマシンインターフェース部３０２は、ユーザが電話および各種操作を行うためのインターフェースであり、図示していないが、ハンドセット、スピーカ、フックボタン、ダイヤルキー等の操作部、およびＬＣＤ、ＬＥＤ等の表示部を備える。
【０１３５】
携帯電話機能部３０３は、無線通信インターフェース部３０１を介して、発着信処理、通話処理等の携帯電話本来の機能を実現する。
【０１３６】
メール送受信部３０４は、ＳＭＴＰ、ＰＯＰ３等の通信プロトコルに従い、無線通信インターフェース部３０１を介して電子メールの送受信を行う。
【０１３７】
メール機能部３０５は、電子メールの作成、閲覧および管理を行う電子メールクライアントである。メール機能部３０５は、マンマシンインターフェース部３０２を介してユーザから受け付けた文字列を送信メールに展開したり、メール送受信部３０４から受け取った受信メールを、マンマシンインターフェース部３０２を介してユーザに通知したり、送受信メールを保存したりする。
【０１３８】
電話帳記憶部３０６には、電話端末４Ａ、４Ｂ毎に、電話番号、メールアドレス、ユーザの個人情報（名前、役職、属性（個人、友人、上司、部下等の携帯端末３のユーザとの関係）等）を含む電話帳データが記憶されている。
【０１３９】
コールウェイティング監視部３０７は、無線通信インターフェース部３０１を介してＷＡＮ８３から携帯電話機能部３０３に着信するコールウェイティング通知を監視する。そして、コールウェイティング通知に対するユーザの応答操作の有無に応じて、通話相手用プレゼンス通知メールの送信先を決定する。そして、プレゼンス通知メール生成部３０８に、通話相手の個人情報を含むプレゼンス情報と、通話相手用プレゼンス通知メールの送信先アドレスとを渡して、通話相手用プレゼンス通知メールの生成を指示する。
【０１４０】
プレゼンス通知メール生成部３０８は、コールウェイティング監視部３０７の指示に従い、コールウェイティング監視部３０７より渡されたプレゼンス情報を通知するための通話相手用プレゼンス通知メールを生成する。そして、このプレゼンス通知メールを、メール送受信部３０４および無線通信インターフェース部３０１を介して、コールウェイティング監視部３０７より渡された送信先アドレスにより特定される電話端末４Ａ、４Ｂに送信する。
【０１４１】
図１１は、通話中にコールウェイティング通知が着信した場合における携帯端末３の動作を説明するためのフロー図である。
【０１４２】
まず、コールウェイティング監視部３０７は、所定時間ｔの経過によりタイムアウトする前に、あるいはコールウェイティング通知元が発信を終了する前に、携帯電話機能部３０３がマンマシンインターフェース部３０２を介してユーザからコールウェイティング通知に対する応答操作を受け付けたか否かを監視する（Ｓ５０１、Ｓ５０２）。
【０１４３】
この応答操作を受け付けたならば（Ｓ５０１でＹＥＳ）、コールウェイティング監視部３０７は、前通話相手（コールウェイティング応答前の保留中の通話相手）の電話番号をキーにして、電話帳記憶部３０６から前通話相手のメールアドレスを検索するとともに（Ｓ５０３）、コールウェイティング通知の発信者番号をキーにして、電話帳記憶部３０６からコールウェイティング通知元の個人情報を検索する（Ｓ５０４）。なお、電話帳記憶部３０６に前通話相手のメールアドレスが登録されていない場合は、このフローを終了する。
【０１４４】
それから、コールウェイティング監視部３０７は、コールウェイティング通知元の個人情報を含むプレゼンス情報を生成する。そして、プレゼンス通知メール生成部３０８に、このプレゼンス情報を前通話相手のメールアドレスとともに渡して、通話相手用プレゼンス通知メールの生成を指示する。これを受けて、プレゼンス通知メール生成部３０８は、コールウェイティング監視部３０７より渡されたプレゼンス情報により特定される相手と自端末３とが通話中であることを通知するための通話相手用プレゼンス通知メールを生成する。そして、この通話相手用プレゼンス通知メールを、メール送受信部３０４および無線通信インターフェース部３０１を介して前通話相手に送信し（Ｓ５０５）、このフローを終了する。
【０１４５】
一方、コールウェイティング通知に対する応答操作を受け付ける前（Ｓ５０１でＮＯ）に、所定時間ｔの経過によりタイムアウトしたか、あるいはコールウェイティング通知元が発信を終了したならば（Ｓ５０２でＹＥＳ）、コールウェイティング監視部３０７は、コールウェイティング通知の発信者番号をキーにして、電話帳記憶部３０６からコールウェイティング通知元のメールアドレスを検索するとともに（Ｓ５０６）、通話相手の電話番号をキーにして、電話帳記憶部３０６から通話相手の個人情報を検索する（Ｓ５０７）。なお、電話帳記憶部３０６にコールウェイティング通知元のメールアドレスが登録されていない場合は、このフローを終了する。
【０１４６】
それから、コールウェイティング監視部３０７は、通話相手の個人情報を含むプレゼンス情報を生成し、プレゼンス通知メール生成部３０８に、このプレゼンス情報をコールウェイティング通知元のメールアドレスとともに渡して、通話相手用プレゼンス通知メールの生成を指示する。これを受けて、プレゼンス通知メール生成部３０８は、コールウェイティング監視部３０７より渡されたプレゼンス情報により特定される相手と自端末３が通話中であることを通知するための通話相手用プレゼンス通知メールを生成する。そして、この通話相手用プレゼンス通知メールを、メール送受信部３０４および無線通信インターフェース部３０１を介して、コールウェイティング通知元に送信する（Ｓ５０８）。
【０１４７】
その後、コールウェイティング監視部３０７は、携帯電話機能部３０３がコールウェイティング通知に対する応答操作を受け付けたか否かの監視を続ける（Ｓ５０９、Ｓ５１０）。そして、この応答操作を受け付けたならば（Ｓ５０９でＹＥＳ）、Ｓ５０３に進む。一方、この応答操作を受け付けることなく（Ｓ５０９でＮＯ）、コールウェイティング通知元が発信を終了したならば（Ｓ５１０でＹＥＳ）、このフローを終了する。
【０１４８】
なお、Ｓ５０５において、プレゼンス通知メール生成部３０８が、前通話相手の個人情報に含まれている属性に応じて異なる文面を利用して、通話相手用プレゼンス通知メールを生成するようにしてもよい。この場合、プレゼンス通知メール生成部３０８に、通話相手用プレゼンス通知メール用の文面を予め複数登録しておく。そして、Ｓ５０３において、コールウェイティング監視部３０７が前通話相手のメールアドレスおよび個人情報の属性を検索し、Ｓ５０４において、コールウェイティング監視部３０７が、プレゼンス通知メール生成部３０８に、プレゼンス情報および前通話相手のメールアドレスとともに、前通話相手の個人情報の属性を渡すようにすればよい。
【０１４９】
同様に、Ｓ５０８において、プレゼンス通知メール生成部３０８が、コールウェイティング通知元の個人情報に含まれている属性に応じて異なる文面を利用して、通話相手用プレゼンス通知メールを生成するようにしてもよい。この場合、プレゼンス通知メール生成部３０８に、通話相手用プレゼンス通知メール用の文面を予め複数登録しておく。そして、コールウェイティング監視部３０７が、Ｓ５０６において、コールウェイティング通知元のメールアドレスおよび個人情報の属性を検索し、Ｓ５０７において、プレゼンス通知メール生成部３０８に、プレゼンス情報およびコールウェイティング通知元のメールアドレスとともに、コールウェイティング通知元の個人情報の属性を渡すようにすればよい。
【０１５０】
以上、本発明の第二実施の形態について説明した。
【０１５１】
本実施の形態において、携帯端末３は、通話中にコールウェイティング通知を受信した場合に、このコールウェイティング通知に対してユーザが応答したならば、コールウェイティング通知元の情報を取得し、取得した情報をプレゼンス情報として前通話相手に送信する。一方、このコールウェイティング通知に対してユーザが応答することなくタイムアウトしたならば、通話相手の情報を取得し、取得した情報をプレゼンス情報としてコールウェイティング通知の送信元に送信する。
【０１５２】
したがって、本実施の形態によれば、携帯端末３は、プレゼンス情報を前通話相手あるいはコールウェイティング通知元に直接送信するので、専用のサーバを必要とすることなく、最新のプレゼンス情報を知らせることができる。
【０１５３】
また、本実施の形態によれば、携帯端末３がコールウェイティング通知に応答しない場合に、コールウェイティング通知元はその理由（携帯端末３の通話相手）を知ることができ、一方、携帯端末３がコールウェイティング通知に応答し、その結果、通話が保留された場合に、前通話相手はその理由（コールウェイティング通知元）を知ることができるので、利便性が向上する。
【０１５４】
なお、本実施の形態では、本発明を携帯端末３に適用した場合を例にとり説明したが、本発明は電話端末にも同様に適用可能である。
【０１５５】
また、本発明は上記の各実施の形態に限定されるものではなく、その要旨の範囲内で数々の変形が可能である。
【０１５６】
例えば、上記の各実施の形態では、プレゼンス情報の送受信に電子メール機能を利用しているが、本発明はこれに限定されない。通話状態にかかわらずプレゼンス情報の送受信を可能とする電話以外の通信機能を広く利用できる。
【０１５７】
また、図４に示す電話端末１、図７に示す携帯端末２、および図１０に示す携帯端末３の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【符号の説明】
【０１５８】
１：電話端末、２：携帯端末、３：携帯端末、４Ａ、４Ｂ：電話端末、６：地図配信サーバ、７：位置情報共有サーバ、５１：ゲートウェイ、５２：無線基地局、８１：ＬＡＮ、８２：ＷＡＮ、８３：ＷＡＮ、１０１：通信インターフェース部、１０２：マンマシンインターフェース部、１０３：電話機能部、１０４：メール送受信部、１０５：メール機能部、１０６：電話帳記憶部、１０７：プレゼンス調査要求メール生成部、１０８：メール振分部、１０９：地図データ要求部、１１０：プレゼンス通知メール処理部、１１１：プレゼンス情報表示部、２０１：無線通信インターフェース部、２０２：マンマシンインターフェース部、２０３：携帯電話機能部、２０４：メール送受信部、２０５：メール機能部、２０６：ＧＰＳ受信部、２０７：端末状態取得部、２０８：位置情報共有処理部、２０９：メール振分部、２１０：プレゼンス調査要求メール処理部、２１１：プレゼンス通知メール生成部、３０１：無線通信インターフェース部、３０２：マンマシンインターフェース部、３０３：携帯電話機能部、３０４：メール送受信部、３０５：メール機能部、３０６：電話帳記憶部、３０７：コールウェイティング監視部、３０８：プレゼンス通知メール生成部
【図１】
0005569151.tif 000002
【図２】
0005569151.tif 000003
【図３】
0005569151.tif 000004
【図４】
0005569151.tif 000005
【図５】
0005569151.tif 000006
【図６】
0005569151.tif 000007
【図７】
0005569151.tif 000008
【図８】
0005569151.tif 000009
【図９】
0005569151.tif 000010
【図１０】
0005569151.tif 000011
【図１１】
0005569151.tif 000012